(57)【要約】【課題】簡略な構成でありながらも、不正開錠を防止可能な施錠装置を提供する。【解決手段】ドア１２に取付けられ、第１位置と第２位置との間でスライド可能なスライド部材（デッドボルト２０）を備え、前記スライド部材（デッドボルト２０）が前記第１位置にあるときには前記ドア１２の開閉動作が可能であり、前記第２位置にあるときには前記ドア１２の開閉動作が不可能である施錠装置において、前記ドア１２の閉鎖時であって、前記スライド部材（デッドボルト２０）が前記第２位置に移動したときに、前記スライド部材（デッドボルト２０）の移動を規制する係止手段を備えることを特徴とする。【選択図】  図１
2004176401.tif 000002
【特許請求の範囲】
【請求項１】
ドアに取付けられ、第１位置と第２位置との間でスライド可能なスライド部材を備え、前記スライド部材が前記第１位置にあるときには前記ドアの開閉動作が可能であり、前記第２位置にあるときには前記ドアの開閉動作が不可能である施錠装置において、
前記ドアの閉鎖時であって、前記スライド部材が前記第２位置に移動したときに、前記スライド部材の移動を規制する係止手段を備えることを特徴とする施錠装置。
【請求項２】
請求項１に記載の施錠装置において、
前記施錠装置は、シリンダ錠を含み、
前記スライド部材は前記シリンダ錠におけるデットボルトであり、
前記係止手段は、前記デッドボルトの表面に設けられた孔部と、前記孔部に挿入可能な挿入部材とを備え、
前記デッドボルトが前記第２位置に移動したときに、前記ドアまたは壁に設けられた貫通孔を介して前記孔部に前記挿入部材を挿入可能とすることを特徴とする施錠装置。
【請求項３】
請求項１に記載の施錠装置において、
前記施錠装置は、シリンダ錠を含み、
前記スライド部材は前記シリンダ錠におけるラッチボルトであり、
前記係止手段は、前記ラッチボルトの表面に設けられた孔部と、前記孔部に挿入可能な挿入部材とを備え、
前記ラッチボルトが前記第２位置に移動したときに、前記ドアまたは壁に設けられた貫通孔を介して前記孔部に前記挿入部材を挿入可能とすることを特徴とする施錠装置。
【請求項４】
請求項１に記載の施錠装置において、
前記スライド部材は、棒状もしくは細長い板状であって、前記ドアと壁との間に跨るように前記ドアの面に沿ってスライド可能に取付けられ、かつ、その表面には前記ドアの面に向けて貫通する貫通孔を備え、
前記係止手段は、前記ドアまたは壁の面上に設けられた孔部と、前記孔部に挿入可能な挿入部材とを備え、
前記スライド部材が前記第２位置に移動したときに、前記スライド部材に設けられた前記貫通孔を介して前記孔部に前記挿入部材を挿入可能とすることを特徴とする施錠装置。
【請求項５】
請求項２〜４のいずれかに記載の施錠装置において、
前記係止手段は、前記挿入部材をその長手方向に移動可能なソレノイドを備え、前記ソレノイドのスイッチのオン・オフの切換により前記挿入部材の前記孔部への挿脱を行うことを特徴とする施錠装置。
【請求項６】
請求項２〜５に記載の施錠装置において、
前記挿入部材は常時前記孔部への非挿入位置側に向けてバネ付勢され、前記挿入部材を前記孔部に挿入した場合に、前記バネ付勢により前記挿入部材が押し戻されることを防止する挿入部材の固定手段を備えることを特徴とする施錠装置。
【請求項７】
請求項２〜５に記載の施錠装置において、
前記係止手段は、前記挿入部材に向けて常時バネ付勢されたボールを備え、前記挿入部材の表面であって、前記挿入部材が前記孔部に挿入された場合に、前記挿入部材と前記ボールとが当接する部分に窪み部を設け、前記窪み部に前記ボールが嵌まり込むことにより、前記挿入部材の移動を規制していることを特徴とする施錠装置。
【発明の詳細な説明】
【０００１】
【発明の属する技術分野】
本発明は、シリンダ錠や、番号錠など、各種の施錠装置に関するものであり、特に、外部からの不正開錠を防止するものである。
【０００２】
【従来の技術】
鍵は、本来、留守中にドアを施錠するものである。そのため従来のピッキング防止技術は、いずれも外出時の不正開錠を防止するためのものであり、その構成はドアの屋外側（外側）から、何らかの防止手段を講ずるものであった。それら先行技術を以下示す。
【０００３】
（１）特開２００２−２９５０７６
この先行技術は、施錠装置を覆うカバーを設け、このカバーを警報装置に連動することで不正開放に対抗にするものである。このカバーは屋外側から取付けるものであり、在宅中には作動させることはできない。また、警報装置が作動したとしても、ピッキング自体は可能であるので、ドアの内部に進入できる問題点がある。
【０００４】
【特許文献１】特開２００２−２９５０７６
（２）特開２００２−２６６５３１
この先行技術は、ダミーの施錠装置を設けるものである。ダミーの施錠装置を設けることにより、不正進入の抑止力は働くものの、正規の施錠装置が一旦開放されてしまうと、ドアは開放してしまう。よって、実際に進入を試みられるとその効果は少ない。
【特許文献２】特開２００２−２６６５３１
（３）特開２００２−２５６７３７
この先行技術の構成例を図９に示す。図９に示すように、本件は、シリンダ錠９０１に対し、ダミー錠９０３を挿入し、このダミー錠９０３を可撓線材９０５と、鍵孔封鎖装置９０７により、保持する。このように、施錠時にはシリンダを封鎖しておくことでピッキングを防止するものである。しかし、屋内からこの鍵封鎖装置９０７を設定することはできない。よって、在宅時のピッキングを防止することはできない。
【特許文献３】特開２００２−２５６７３７
以上の通り、住人が外出中の不正開錠を防止する先行技術は存在する。しかし、近年は室内に住人がいるにも関わらず、ピッキングにより進入される問題点が生じている。その例としては、住人の就寝時や、また、強盗を目的とした進入である。このような在宅時における進入は、窃盗のみならず、その後、住人への暴行、傷害といった事件に発展する危険性を備えており、特に女性にとって極めて重大な問題であった。
【０００５】
【発明が解決しようとする課題】
そこで、本発明は、住人の在宅中、特に就寝時における不正開錠を防止するための施錠装置の提供をその課題とするものである。
【０００６】
【課題を解決するための手段】
「１」  上記課題を達成するため、本発明はドアに取付けられ、第１位置と第２位置との間でスライド可能なスライド部材を備え、前記スライド部材が前記第１位置にあるときには前記ドアの開閉動作が可能であり、前記第２位置にあるときには前記ドアの開閉動作が不可能である施錠装置において、前記ドアの閉鎖時であって、前記スライド部材が前記第２位置に移動したときに、前記スライド部材の移動を規制する係止手段を備えることを特徴とする。
【０００７】
本発明は、ドアの不正開錠を防止する手段として、独立した装置を設けるのではなく、ドアの閉鎖に用いられるスライド部材を利用するものであり、このスライド部材が第２位置にあるときに、その移動を規制することを特徴とする。これにより、簡易な構成でありながら、ドアの不正開放を防止する。
【０００８】
本発明における施錠装置とは、ドアに取付けられ、ドアの開閉を規制する各種装置が含まれ、シリンダ錠のほか、電子式及び機械式番号錠、カード式錠など、鍵を用いない施錠装置を含んでもよい。
【０００９】
本発明におけるドアは、その端部を支点に揺動するドアのほか、引き戸などを含んでもよい。
本発明におけるスライド部材は、上記第２位置においてドアの開放を適宜に規制するものであり、その形状について特に制限はない。円柱や四角柱のほか、三角柱や板状であってもよい。
【００１０】
前記スライド部材、係止手段としては、様々な形態で実施可能である。望ましい形態としては、上記施錠装置において、前記施錠装置は、シリンダ錠を含み、前記スライド部材は前記シリンダ錠におけるデットボルトであり、前記係止手段は、前記デッドボルトの表面に設けられた孔部と、前記孔部に挿入可能な挿入部材とを備え、前記デッドボルトが前記第２位置に移動したときに、前記ドアまたは壁に設けられた貫通孔を介して前記孔部に前記挿入部材を挿入可能とすることを特徴とするものである。
【００１１】
このように、スライド部材としてデッドボルトを用い、また、係止手段として挿入部材などを用いて、ドアの閉鎖時に挿入部材をデッドボルトの孔部に挿入することで、簡易な構成でありながら、デッドボルトの不正な移動を規制することができる。
【００１２】
この挿入部材を挿入する方向は、在宅者が室内側から施錠する用途に用いる場合は、室内側に設けられる。一方、牢屋など囚人を収容した室内側からのピッキングを防止する用途に用いる形態としては、鍵を用いて施錠する側（屋外側、室内の反対側）から挿入する形態とする。
【００１３】
デッドボルトとは、シリンダ錠などドアの内側に組み込まれる各種施錠装置に用いられる部材であって、施錠装置に挿入された鍵の動きに応じ（または、入力された暗証番号に応じて）、上記第１位置と第２位置とを往復移動可能な部材である。図１は、デットボルト２０がドア１２の外側に突出した状態であり、デッドボルト２０の第２位置を示す。
【００１４】
挿入部材とは、孔部に挿入される部材をいる。その形状はピン型が望ましいが、必ずしもピン形状にとらわれることなく、本発明における係止手段としての機能を発揮する様々な形状で実施可能である。ピン形状の挿入部材を挿入ピンとする。
【００１５】
また、本発明におけるスライド部材としては、デッドボルトだけでなくラッチボルトを用いてもよい。その形態は、上記施錠装置において、前記施錠装置は、シリンダ錠を含み、前記スライド部材は前記シリンダ錠におけるラッチボルトであり、前記係止手段は、前記ラッチボルトの表面に設けられた孔部と、前記孔部に挿入可能な挿入部材とを備え、前記ラッチボルトが前記第２位置に移動したときに、前記ドアまたは壁に設けられた貫通孔を介して前記孔部に前記挿入部材を挿入可能とすることを特徴とする。
【００１６】
施錠装置（シリンダ錠）によってはデッドボルトを用いないものもある。本発明は、そのような施錠装置に対しても、スライド部材としてラッチボルトを利用し、かつ、このラッチボルトの孔部に挿入部材を挿入することで実施可能である。
【００１７】
ラッチボルトとは、上記デットボルトとは独立した部材であって、ドアノブの動きに応じて第１位置と第２位置との間で移動可能なものである。一般的なラッチボルトは第２位置側にバネ付勢されている。
【００１８】
また、本発明のスライド部材としては、棒状もしくは細長い板状であって、前記ドアと壁との間に跨るように前記ドアの面に沿ってスライド可能に取付けられ、かつ、その表面には前記ドアの面に向けて貫通する貫通孔を備え、前記係止手段は、前記ドアまたは壁の面上に設けられた孔部と、前記孔部に挿入可能な挿入部材とを備え、
前記スライド部材が前記第２位置に移動したときに、前記スライド部材に設けられた前記貫通孔を介して前記孔部に前記挿入部材を挿入可能とすることを特徴としてもよい。
【００１９】
この実施形態を図５に示す。図５に示すように、本発明における施錠装置は、ドアノブ２１４とは独立した構成として実施されてもよい。また、従来のシリンダ錠等と、この形態の施錠装置とを併用してもよい。この形態であれば、孔部２１２やホールド部２０６を設ける程度の工事によって、本発明の施錠装置を取付けることができ、取付容易といった利点がある。
【００２０】
上記係止手段における挿入部材は、施錠者の手動によって挿入される形態で実施される形態のほか、各種アクチュエータ（ソレノイドやモータ、各種ピストン）を用いて実施することもできる。そして、簡易な構造で、上記挿入部材の動きを迅速に制御する観点から、本発明の望ましい実施形態は、上記施錠装置において、前記係止手段は、前記挿入部材をその長手方向に移動可能なソレノイドを備え、前記ソレノイドのスイッチのオン・オフの切換により前記挿入部材の前記孔部への挿脱を行うことを特徴とする。
【００２１】
ソレノイドを作動させる装置としては、手動のスイッチの他、ドアの閉鎖時に、閉鎖された信号をセンサーに感知させ、その信号に応じて作動させる形態、また、無線通信やネットワークなどを介して遠隔操作する形態などで実施可能である。
【００２２】
また、本発明の実施形態としては、操作し易く、挿入部材が不用意に抜け落ちないよう手段を設けることが望ましい。その実施形態は、上記施錠装置において、前記挿入部材は常時前記孔部への非挿入位置側に向けてバネ付勢され、前記挿入部材を前記孔部に挿入した場合に、前記バネ付勢により前記挿入部材が押し戻されることを防止する挿入部材の固定手段を備えることを特徴とする。
【００２３】
この実施形態であれは、施錠者は挿入部材を指で押し込むだけでよい。また、一旦挿入された挿入部材は固定手段により、容易に抜けることがなくなり、施錠の安全性が高まる。また、挿入部材は施錠者側にバネ付勢されているので、固定手段を開放すれば、挿入部材はバネによって抜き出される。このように、挿入部材の挿入、抜き出しの操作性を向上させることができる。
【００２４】
また、挿入部材の抜けを防止する手段として、前記係止手段は、前記挿入部材に向けて常時バネ付勢されたボールを備え、前記挿入部材の表面であって、前記挿入部材が前記孔部に挿入された場合に、前記挿入部材と前記ボールとが当接する部分に窪み部を設け、前記窪み部に前記ボールが嵌まり込むことにより、前記挿入部材の移動を規制していることを特徴とする形態も望ましい。
【００２５】
このように、固定手段として窪み部とボールを用い、これらを適宜に当接させて、前記挿入部材の移動を適宜に規制する。この形態であれば、挿入されている挿入部材は窪み部により適宜な力で押さえられているので、不用意に抜け落ちることはなく、また、抜き出す場合も少し強い力で引き出せばよい。片手で挿入部材を操作できる利点がある。上記ボールは球状が望ましい。しかし、略球状もしくは適宜位置に球面を備えた部材であればよく、必ずしも正確な球状である必要はない。
【００２６】
【発明の実施の形態】
本願発明を図面に基づき以下説明する。図１、図２は本発明の第１の実施形態を示し、本発明をシリンダ錠１０に用いたものである。図１は本発明が適用されたシリンダ錠１０を示す斜視図であり、図２はシリンダ錠１０の分解斜視図である。
【００２７】
＜第１の実施形態＞
図１、図２は本発明をシリンダ錠１０（施錠装置）に用いた実施形態を示す。図１は、本発明の施錠装置を使用する者が居る室内側からドア１２を描いている。図中、手前側を施錠者側、もしくは、室内側とし、奥側を室外側とする。
【００２８】
図１に関して、ドア１２の中央付近には施錠装置であるシリンダ錠１０が設けられ、ドアノブ１６がシリンダ錠１０の近傍に設けられている。シリンダ錠１０の本体はドア１２内部に設けられ、施錠つまみ部１８が室内側に突出している。この施錠つまみ部１８は略９０°回動可能であり、その回動動作により、デッドボルト２０がドアの側端面１４から出没可能となっている。図１では、施錠つまみ部１８を９０°回転し、デットボルト２０が側端面１４から突出した状態を示している。
【００２９】
図２は、上記シリンダ錠１０の構成を具体的に示している。デッドボルト２０の両側（室内側と室外側）には、デッドボルト２０を挟む形態で、室内側錠部２２と室外側錠部２４とが設けられる。室外側錠部２４の内部には、鍵２６の凹凸辺２８に対応したシリンダが設けられる。シリンダ形状と凹凸辺２８とが合致する場合に鍵２６を回転させることができ、これによりデッドボルト２０の移動（施錠、開錠）を可能とする。デッドボルト２０は、デッドボルト２０より若干大きな内径を備えた筒状部材３０を備える第１取付部材３２の内側に収容されている。シリンダ錠１０は、第１取付部材３２がドア１２の側端面１４と面一となるように、ドア１２に取付けられる。この第１取付部材３２に対向する壁側には、壁側枠３４が設けられている。
【００３０】
ドアノブ１６は、側端面１４から突出するラッチボルト３６と連結されており、ラッチボルト３６は、側端面１４から突出する方向に常時、バネ付勢される。ラッチボルト３６は、ドアノブ１６の回動動作によりドア１２の側端面１４から出没する。ラッチボルト３６は、筒状部材を備えた第２取付部材３８に収容され、ドア１２に取付けられている。
【００３１】
本実施の形態では、デッドボルト２０が本発明におけるスライド部材として機能する。デッドボルト２０は第１位置と第２位置との間でスライド可能である。第１位置とは、デッドボルト２０が第１取付部材３２に収容された状態をいい、その場合、ドア１２の開閉動作は可能である。第２位置とは、図１及び図２に示すように、デッドボルト２０が第１取付部材３２から突出した状態をいい、このときドア１２の開閉動作は不可能である。
【００３２】
係止手段として、この実施形態では、挿入部材としての挿入ピン４０、第１貫通孔４２、第２貫通孔４４、孔部４６を設ける。
挿入ピン４０は、円柱の形状であって、挿入部４０ａと、径を若干径を大きくした頭部４０ｂとを備える。
【００３３】
第１貫通孔４２は、ドア１２の表面に設けられる孔である。その位置は、図１に示されるように、デッドボルト２０が設けられた位置と重なる領域とする。第１貫通孔４２の内径は、挿入ピン４０の挿入部４０ａの外径と略同一（もしくは、若干大きく）とする。
【００３４】
第２貫通孔４４は、図２に示されるように、第１取付部材３２における筒状部材３０に設けられる孔であり、その向きはドア１２の室内側である。第２貫通孔４４の径は、第１貫通孔４２の径と略同一とする。更に、ドア１２に取付けられた状態で、上記第１貫通孔４２と整合する位置に、この第２貫通孔４４は設けられる。図１に示す第１貫通孔４２の内側には、同じ径を備えた第２貫通孔４４が配置されている。
【００３５】
孔部４６は、デッドボルト２０の表面に室内側に向けて形成されている。図２において、孔部４６は点線で示される。孔部４６の内径は、二つの貫通孔４２、４４及び挿入ピン４０の挿入部４０ａの外径と略同一とする。孔部４６は、デッドボルト２０が第２位置に移動した状態で、第２貫通孔４４と整合する位置に設けられる。孔部４６の深さは、挿入ピン４０を挿入する程度に応じて適宜に決定すればよく、デッドボルト２０を貫通する形態、メクラ孔の形態のいずれでも構わない。
【００３６】
以上の構成により、デッドボルト２０が第２位置に移動すると、第１貫通孔４２と第２貫通孔４４と孔部４６とが互いに整合し（連通した状態となり）、ドア１２の室内側から、貫通孔４２、４４を介して、孔部４６に挿入ピン４０を挿入することが可能となる。
【００３７】
尚、図２中破線で示すように、ドア側に形成する第２貫通孔４４の代わりに壁側に第２貫通孔４４’を設け、そこに挿入ピン４０’を挿入可能な構成とすることもできる。
【００３８】
（操作説明）
施錠装置の利用者は、鍵２６により、施錠されているシリンダ錠１０を開錠し、入室する。シリンダ錠１０が開錠されることにより、デッドボルト２０は第１位置となる。
【００３９】
入室した施錠者は、ドア１２を閉めた後、施錠つまみ部１８を回転させ、デッドボルト２０を第１位置から第２位置にスライドさせる。これにより通常の施錠が完了する。デッドボルト２０が第２位置にスライドしたことにより、孔部４６と貫通孔４２、４４とは、連通した状態となる。
【００４０】
施錠者は、挿入ピン４０を、貫通孔４２、４４を介して孔部４６に挿入する。これにより、デッドボルト２０のスライドをロックする。このロックにより、ピッキングなどによって不正にシリンダを回転させようとしても、このデッドボルト２０を第１位置に移動させることはできない（デッドボルト２０の移動が規制される）。この発明は、不正に作成された合鍵による開錠をも防止することが可能である。
【００４１】
施錠者が施錠を開放する際は、挿入ピン４０を手前に引きぬくことでロックを解除でき、更に、通常と同様に、施錠つまみ部１８を回転させデッドボルト２０を第２位置から第１位置へ移動させる。
【００４２】
本発明において、上記係止手段を設ける位置は、デッドボルト２０側だけでなく、ラッチボルト３６側であってもよい。また、取付けられるシリンダ錠の構成によっては、デッドボルトが存在しないものもある。本発明の第２の実施形態は、デッドボルトを用いないシリンダ錠における本発明の実施形態であって、ラッチボルトに係止手段を設けたものである。その構成を図３に示す。図３は、図２と同様にシリンダ錠１００の構成のみを表示するものである。第２の実施形態では、このラッチボルト１０２が本発明のスライド部材である。
【００４３】
図３は、ラッチボルト１０２を挟み、二つのドアノブ１０４ａ（室内側）、１０４ｂ（室外側）を対向させて配置したものである。ラッチボルト１０２は筒状部材１０６を備えた取付部材１０８により、ドアに取付けられる。ラッチボルト１０２はバネ付勢され（図中、バネの構成は省略）、図３に示すように、常に取付部材１０８から突出した状態とされる。ラッチボルト１０２が突出した状態はドアの開閉動作が不可能な第２位置である。ラッチボルト１０２が取付部材１０８内へ引っ込むとドアの開閉動作が可能な第１位置となる。
【００４４】
室内側に位置するドアノブ１０４ａには、ロックボタン１１０が設けられる。このロックボタン１１０は、ラッチボルト１０２のスライドを制御する機能を備える。ロックボタン１１０が押し込まれると、ラッチボルト１０２は、図２に示す第２位置で固定され、これによりシリンダ錠１００は施錠される。
【００４５】
ドアノブ１０４ｂの内部には、図示しないものの、所定の鍵により回転可能なシリンダが設けられ、鍵によりシリンダが回転させられることで、上記ラッチボルト１０２のロックが解除され、ロックボタン１１０は元の突出状態に戻る。
【００４６】
本発明の係止手段として、筒状部材１０６に所要寸法の第２貫通孔１１２が設けられ、ラッチボルト１０２の表面には孔部１１４が設けられる。図示しないものの、ドアの室内側表面には、シリンダ錠１００が取付けられた際に、第２貫通孔１１２と整合する第１貫通孔が設けられる。ラッチボルト１０２が第２位置に移動すると、孔部１１４、第２貫通孔１１２、及び、第１貫通孔（図中省略）は、連通した状態となり、貫通孔を介して孔部１１４に挿入ピン１１６（挿入部材）が挿入可能となる。
【００４７】
（操作説明）
この第２の実施形態においては、入室した施錠者は、ロックボタン１１０をＯＮにして、ラッチボルト１０２を第２位置に固定する。そして、挿入ピン４０を室内側から孔部１１４に挿入し、ラッチボルト１０２のロックを完了する。これにより、不正な開錠が試みられた場合、シリンダを回転させようとしても、ラッチボルト１０２は挿入ピン１１６により固定されているので、第１位置に移動することはできない。これにより、不正開錠を回避することが可能となる。
【００４８】
なお、第２の実施形態では、ドアノブ１０４はシリンダ錠１００を含む構成として説明した。しかし、ラッチボルト１０４は鍵機能のない、通常のドアにも用いられる。鍵機能のないラッチボルト１０２に対してであっても、この発明は実施可能である。その場合、ラッチボルト１０２と貫通部１１２と挿入ピン１１６と孔部１１４とにより施錠装置として機能する。
【００４９】
本発明における挿入部材はピン形状でなくとも実施可能である。その実施形態を図４に示す。図４は、図１と同様に、デッドボルト１５２を含むシリンダ錠１５０と、ラッチボルト１５４を含むドアノブ（図中省略）を示すものであり、そのドア１５６の内部構成を示すものである。この実施形態においても、ラッチボルト１５４はドア１５６から突出する方向にバネ付勢されている。
【００５０】
この実施形態において、スライド部材はラッチボルト１５４であり、図４に示すようにドア１５６から突出した状態が第２位置、ドア１５６内に収容される状態が第１位置となる。
【００５１】
この実施形態では、係止手段として、切欠部１５８、挿入部材１６０、挿入部材１６０の駆動装置１６２を設ける。
ラッチボルト１５４には、図中、下向きに切欠いた切欠部１５８が形成される。切欠部１５８の下側には、上下方向にスライド可能な挿入部材１６０を設ける。スライドする方向を矢印Ａ１で示す。挿入部材１６０の形状は、縦長の板状であって、その先端（挿入部１６０ａ）は、上方向に向けて凸とする。挿入部１６０ａの形状は、切欠部１５８の切欠形状と相似させ、挿入された際に、お互いが整合するようにする。挿入部材１６０が配置されるのは、ラッチボルト１５４が第２位置となったときに、切欠部１５８に挿入部材１６０を挿入可能となる位置とする。挿入部材１６０の側面（図中、右側面）には、ラック状のギア歯１６０ｂを設ける。
【００５２】
前記挿入部材１６０に近接する位置に、駆動装置１６２を設ける。駆動装置１６２は、矢印Ａ２方向に回動可能であり、その回動力を得るために、ドア１５６の表面から突出したつまみ部１６２ａを設ける。駆動装置１６２の挿入部材１６０側には、上記ギア歯１６０ｂと噛合可能な円弧状のギア歯１６４ｂが設けられる。つまみ部１６２ａをひねると、駆動装置１６２は一方向に回転し、ギア歯１６４ｂと噛合するギア歯１６０ｂを介して、その回動力は、挿入部材１６０に伝達され、挿入部材１６０は矢印Ａ１方向に移動する。尚、挿入部材１６０の自然落下により駆動装置１６２が自然に回転しないように、駆動装置１６２には適宜のストッパー装置が設けられている。
【００５３】
（操作説明）
ドア１５６が閉じられると、バネ付勢により、ラッチボルト１５４は図４に示す第２位置となる。施錠者は、つまみ部１６２ａを回転させ、挿入部材１６０を上方向に移動させる。上方向に移動した挿入部材１６０の先端（挿入部１６０ａ）は、図４に示すように切欠部１５８に挿入され、これによりラッチボルト１５４は第１位置に戻ることができなくなる。
【００５４】
不正開錠により、デッドボルト１５２が開錠されたとしても、この実施形態であれば、ラッチボルト１５４が移動できないため、ドア１２６が開くことはない。
【００５５】
本発明における施錠装置は、ドアの内部に設けられる形態に限られない。ドアの室内側に施錠装置が設けられた実施形態を図５に示す。図５は、ドア２００が閉じられた状態を上方向から見た断面図である。図５ａはロック前であってスライド部材が第１位置にある状態を示し、図５ｂはロック後であってスライド部材２０２が第２位置にある状態を示す。図中、中央右側の部材はドア２００、左側は壁２０４である。
【００５６】
ドア２００の室内側には、ドア２００の面上をスライド可能な細長い板状のスライド部材２０２を設ける。スライドすることにより、ドア２００と壁２０４との間を跨ぐことが可能となる。スライド部材２０２のスライドを可能とすべく、ホールド部材２０６を適宜間隔で、直線状に、ドア２００の面上に設ける。ホールド部材２０６は、スライド部材２０６のスライド方向に開口部を備えた矩形部材であって、その開口部を貫通する形態でスライド部材２０２を保持する。ホールド部材２０６は、上記直線の延長上であって、壁２０４の室内側にも設けられる。ドア２００側に設けられたホールド部材を符号２０６ａ、壁２０４側に設けられたホールド部材を符号２０６ｂとして示す。スライド部材２０２は、これらホールド部材２０６により、ドア２００に取付けられ、矢印Ａ３の方向に移動可能である。図５ａに示すように、スライド部材２０２がドア２００側に移動した位置を第１位置とする。図５ｂに示すように、スライド部材２０２が左方向にスライドし、壁２２に設けたホールド部材２０６ｂを貫通し、これにより、ドア１２の開閉動作を不可能とした位置を第２位置とする。
【００５７】
係止手段として、挿入部材としての挿入ピン２０８の他、スライド部材２０２には貫通孔２１０を設け、壁２０４には孔部２１２を設ける。貫通孔２１０は、ドア２００の室内側の面に対して垂直方向に設けられた孔であり、その内径は、挿入される挿入ピン２０８と略同一である。孔部２１２の径は挿入ピン２０８と略同一とする。貫通孔２１０を設ける位置は、スライド部材２０２が第２位置となったときに、孔部２１２と整合する位置とする。
【００５８】
（操作説明）
入室した施錠者は、ドア２００を閉じ、スライド部材２０２を左に移動させる。移動したスライド部材２０２は、ホールド部材２０６ｂを貫通し、更に、適宜分移動し、第２位置となる。スライド部材２０２が第２部材に配置されることにより、貫通孔２１０と孔部２１２は整合する。この状態で、施錠者は貫通孔２１０を介して、孔部２１２に挿入ピン２０８を挿入する。スライド部材２０２に挿入ピン２０８が挿入されることにより、スライド部材２０２の移動が規制される（ロック完了）する。
【００５９】
なお、この実施形態４においても、従来からあるシリンダ錠と併用することは可能であり、その場合、この施錠装置によって、不正開錠を防止することが可能となる。また、孔部２１２を設ける位置は、壁２０４側に限られず、ドア２００側であってもよい。
【００６０】
本発明における係止手段は、上記した通り、挿入部材としての挿入ピン（４０、１１６、２０８）を孔部に挿入する、もしくは、挿入部材１６０を切欠部に係止するといった、形態で実施可能である。この挿入ピン（４０、１１６、２０８）などの挿入形態は、施錠者が手動で行うほか、各種アクチュエータを利用してもよい。アクチュエータとしてソレノイドを用いた実施形態を図６に示す。
【００６１】
図６は、閉じられた状態のドア３００を上から見た断面図である。図上側が室外側であり、図下側が室内側である。左には壁３０２があり、図６は、この壁３０２側にデッドボルト３０４が移動した第２位置の状態を示している。この実施形態において、貫通孔３０６は、ドア３００側ではなく、壁３０２側に設けられている。
【００６２】
壁３０２の室内側には、ソレノイド３０８が設けられ、そこから電磁作用により出没可能に設けられたロッド３１０は挿入ピンとして機能する（以下、このロッドを挿入ピン３１０とする）。ソレノイド３０８をオン・オフ（ＯＮ／ＯＦＦ）とすると、その状態に合せて、挿入ピン３１０はＡ４方向に移動する。オン・オフの操作を実現する一例として、この実施形態では、室内側にスイッチを設け（図中省略）、施錠者がそのスイッチを操作する。
【００６３】
図６に示すソレノイド３０８を用いて挿入ピン３１０を孔部に挿入する形態は、上記第３を除く全ての実施形態に用いることが可能であり、また、第３実施形態においても、適宜なアクチュエータ（ソレノイドを含む）を適宜位置に用いることで、挿入部材の電気的制御が可能となる。
【００６４】
なお、図６に示す実施形態は、壁３０２側に貫通孔３０６を設けた形態であるが、ソレノイド３０８が配置される位置は、壁３０２側に限られない。図１などに示すようにドア３００側に貫通孔３０６を設け、ドア３００側にソレノイド３０８を配置する形態であってもよい。またこのようなソレノイド３０８を適用する場合には、自動車における無線式のドアロック機構のように、使用者が携帯する電波発信装置から発信された特定周波数の電波を、ソレノイド３０８側に設けた受信機が受信したときに、ソレノイド３０８の挿入ピン３１０が引っ込むようにすることもできる。このような構成により、部屋の使用者が部屋の外にいるときにも、挿入ピン３０８の貫通孔３０６内への挿入と引っ込みを制御することができる。また更に、図４に示す駆動装置１６２に適宜なアクチュエータを設けてもよい。
【００６５】
また、本発明における係止手段としては、操作性を向上させ、更に、挿入部材を固定する手段（抜けを防止する手段）を設ける形態が望ましい。図７は、図６と同様に壁３３０側に、係止手段を設けた形態であって、挿入ピン３３２が設けられた位置において、壁３３０の室内側から室外側方向に向けての縦断面を示す。
【００６６】
この実施形態では、室内側に、挿入ピン３３２の固定手段として、抜け防止用孔３３４ａ、抜け防止用ピン３３６を設けている。
図中、壁３３０の内部には、貫通孔３３８と、第２位置に移動したデッドボルト３４０が示され、このデッドボルト３４０の表面には、貫通孔３３８と整合する孔部３４２が設けられている。
【００６７】
この実施形態において、挿入ピン３３２は常時室内側に向けてバネ付勢される。具体的には、挿入ピン３３２を収容する係止部本体３４４は、貫通孔３３８と連結される穴を有し、この穴の中にコイルバネ３４６が配置され、またコイルバネ３４６を貫通するように挿入ピン３３２が設置されている。挿入ピン３３２の室内側端部には、所要形状の操作端部３３４が形成され、操作端部３３４の一部（図では上側）には、抜け防止用孔３３４ａが形成されている。
【００６８】
係止部本体３４４の上側には、上下に移動可能で抜け防止用孔３３４ａに挿入可能な抜け防止用ピン３３６が設けられ、自由落下可能な状態で保持されている。挿入ピン３３２が孔部３４２に押込まれるまで、抜け防止用ピン３３６の下端は、操作端部３３４の上面３３４ｂに接触し、落下が規制される。
【００６９】
（操作説明）
施錠者が、操作端部３３４を孔部３４２方向に押込むと、抜け防止用ピン３３６の下端と抜け防止用孔３３４ａとが整合する。そのタイミングで抜け防止用ピン３３６は自由落下し、抜け防止用孔３３４ａに挿入される。これにより、バネ付勢によって挿入ピン３３６が押し戻されることが防止され（挿入ピン３３６は孔部３４２に挿入された状態で固定）、また、不用意に挿入ピン３３２が孔部３４２から外れる事態を回避することができる。
【００７０】
更に、挿入ピン３３２を抜き取る際には、抜け防止用ピン３３６を上方向に抜き出せば、挿入ピン３３２はコイルバネ３４６の付勢により、室内側に押し出される。
【００７１】
挿入ピンの抜けを防止する手段としては、窪み部とボールを用いてもよい。図８は、図７と同様の壁３６０の縦断面であり、図７における抜け防止用ピン３３６の代わりに、ボール３６２と窪み部３６４を設けたものである。図８は、挿入ピン３６６を孔部３６８から抜き出した状態である。
【００７２】
ボール３６２は、図中、ケース３７４内に設けられた空間に配置され、更に、バネ３７０（コイルバネ）によって常時下方に付勢される。このケース３７４は、壁３６０の室内側に設けられた係止部本体３７６によって取付けられる。挿入ピン３６６は、デッドボルト３７２に設けられれた孔部３６８に挿入できるよう、スライド可能であって、その上方に、上記ボール３６２の球面に整合した窪み（窪み部３６４）を設ける。
【００７３】
窪み部３６４は、所定間隔で形成された第１窪み部３６４ａと第２窪み部３６４ｂとから成る。第１窪み部３６４ａは、挿入ピン３６６が孔部３６８から抜き出したときに、ボール３６２と整合する位置に形成され、第２窪み部３６４ｂは、挿入ピン３６６が孔部３６８に挿入されたときに、ボール３６２と整合する位置に形成されている。
【００７４】
ボール３６２が挿入ピン３６６を保持する力は、第１及び第２窪み部３６４の深さとバネ３７０の強さ（バネ係数）により決定する。そこで、上記窪み部３６４の深さは、挿入ピン３６６の不用意な抜けを防止する程度に適宜に保持し、かつ、挿入ピン３６６を指で押し込んだり、または、引き出したりする際に、ある程度の力によって、ボール３６２が窪み３６４から外れる程度とする。
【００７５】
（操作説明）
まず、第１窪み部３６４ａにボールが嵌まり込み、その状態で挿入ピン３６６は保持されている。施錠者はドアを閉鎖し、施錠することで、デッドボルト３７２が第２位置に移動する。第２位置に移動したデッドボルト３７２の孔部３６８は、図８に示すように貫通孔３７８と整合する。
【００７６】
施錠者が指で挿入ピン３６６の後端部３６６ａを押すと、挿入ピン３６６は孔部３６８に向けて移動し（矢印Ａ６方向）、ボール３６２は第１窪み部３６４ａから外れる。挿入ピン３６６が移動を続け、その先端が孔部３６８に挿入されると、第２窪み部３６４ｂとボール３６２が整合する。ボール３６２はバネ３７０により挿入ピン３６６側に付勢されているので、第２窪み部３６４ｂにボール３６２が嵌り込む。この状態により、挿入ピン３６６は移動が制限され、不用意な抜けが防止される。一方、挿入ピン３６６を抜き出す際、施錠者は指で挿入ピン３６６の後端部３６６ａを摘み、若干力を入れて引き出せば足りる。なお、孔部３６８に挿入された挿入ピン３６６の不用意な移動のみを防止する観点から、第１窪み部３６４ａのみを設けた形態でもよい。
【００７７】
また、挿入ピンの抜けを防止する手段としては、様々な形態で実施可能である。図８において、挿入ピン３６６を室内側に常時バネ付勢する形態とし、一回目のプッシュでは挿入ピン３６６を孔部３６８に挿入させ、その状態で保持可能とする。二回目のプッシュで上記挿入ピン３６６の保持を解消させ、バネ付勢により孔部３６８から排出させる機能を備えた形態も望ましい。
【００７８】
【発明の効果】
（１）  本発明は、ドアの不正開錠を防止する手段として、独立した装置を設けるのではなく、ドアの閉鎖に用いられるスライド部材を利用するものであり、このスライド部材が第２位置（ドアの開閉動作が不可能な位置）にあるときに、その移動を制御することを特徴とする。これにより、簡易な構成でありながら、ドアの不正開錠（特に、ピッキング）を防止する。またラッチボルトによる施錠に加え、挿入ピンによる施錠を行うから、２系統の施錠即ち２重の施錠を行うことができる。
（２）  スライド部材としてデッドボルトもしくはラッチボルトを用い、また、係止部材として挿入ピンなどを用い、ドアの閉鎖時に挿入ピンをデッドボルトに挿入することとする。これにより、簡易な構成でありながら、デッドボルトやラッチボルトの移動を規制し、不正開錠を防止することができる。
（３）  挿入ピンの移動を電動駆動としたり、また、挿入ピンの抜けを防止する手段を設けることにより、本発明における施錠装置の操作性を向上させることができる。
【図面の簡単な説明】
【図１】本願発明の実施形態の全体を示すものである。
【図２】本願発明における施錠装置の展開図である（デッドボルト型）。
【図３】本願発明における施錠装置の展開図である（ラッチボルト型）
【図４】挿入部材をつまみ部により操作する実施形態を示す図である。
【図５】スライド部材をドアの室内側に配置する実施形態を示す図である。（ａ）は第１位置を、（ｂ）は第２位置を示す。
【図６】挿入ピンの駆動手段としてソレノイドを用いた実施形態を示す図である。
【図７】挿入ピンの抜けを防止する手段として、挿入ピンの固定手段を設けた実施形態を示す図である。
【図８】挿入ピンの抜けを防止する手段として、ボールと窪み部を設けた実施形態を示す図である。
【図９】従来技術のピッキング防止手段を示す図である。
【符号の説明】
１０、１００、１５０        シリンダ錠
１２、１５６、２００、３００        ドア
２０、１５２、３０４、３４０、３７２        デッドボルト
３６、１０２、１５４        ラッチボルト
４０、１１６、２０８、３１０        挿入ピン（挿入部材）
４２、４４、１１２、２１０、３０６、３３８、３７８        貫通孔
４６、１１４、２１２、３４２、３６８        孔部
１６０        挿入部材
２０４、３０２、３３０、３６０        壁
３０８        ソレノイド
３６２        ボール
３６４        窪み部
【図１】
2004176401.tif 000003
【図２】
2004176401.tif 000004
【図３】
2004176401.tif 000005
【図４】
2004176401.tif 000006
【図５】
2004176401.tif 000007
【図６】
2004176401.tif 000008
【図７】
2004176401.tif 000009
【図８】
2004176401.tif 000010
【図９】
2004176401.tif 000011